(57)【特許請求の範囲】
【請求項１】
前面にディスクカートリッジ（１）の出入口（１０）を有するケース本体（７）が、上ケース（８）と下ケース（９）とからなり、
上下ケース（８・９）の左右側壁（１７・１４）が、内外に重さなっていて、上下方向には抜け止め状に凹凸係合しており、
下ケース（９）の主面壁（１３）に、ケース内部に臨む左右側壁（１７）に接当作用して該側壁（１７）の内倒れを規制するリブ（２４）が突設されており、
下ケース（９）の主面壁（１３）から立設された左右側壁（１４）が、上ケース（８）の主面壁（１６）から突設した左右側壁（１７）の外側に位置しており、
下ケース（９）の左右側壁（１４）は、基端部（１４ａ）とこれの上端につながってケース内側方に位置する突端部（１４ｂ）とを有する段付き状に形成されており、
下ケース（９）の左右側壁（１４）の突端部（１４ｂ）の下面が下向きの段付面（２０）に設定されていて、該段付面（２０）の下方で基端部（１４ａ）の内側方に凹部（２１）が形成されており、
上ケース（８）の左右側壁（１７）は、基端部（１７ａ）とこれの下端につながってケース外側方に位置する突端部（１７ｂ）とを有する段付き状に形成されており、
上ケース（８）の左右側壁（１７）の突端部（１７ｂ）の上面が上向きの段付面（２２）に設定されており、下ケース（９）に上ケース（８）を結合したとき、上ケース（８）側の突端部（１７ｂ）が下ケース（９）の凹部（２１）に嵌合して、下ケース（９）側の下向き段付面（２０）に該突端部（１７ｂ）の上向き段付面（２２）が受け止められることにより、上下ケース（８・９）が上下方向には抜け止め状に凹凸係合しており、
前記凹凸係合状態において、下ケース（９）の左右側壁（１４）の下突端部（１４ｂ）の上面が、上ケース（８）の主面壁（１６）に当接し、上ケース（８）の左右側壁（１７）の突端部（１７ｂ）の下面が、下ケース（９）の主面壁（１３）に当接するよう形成されており、
上ケース（８）の左右側壁（１７）の突端部（１７ｂ）の幅寸法が、下ケース（９）の左右側壁（１４）の基端部（１４ａ）とリブ（２４）の対向間隔寸法で規定される凹部（２１）の幅寸法と、略同寸法になるよう形成されており、
リブ（２４）の内壁面が、上ケース（８）の左右側壁（１７）の基端部（１７ａ）の内壁面と面一状になるよう形成されていることを特徴とするディスクカートリッジ用の収納ケース。
【請求項２】
リブ（２４）が、前後方向に連続する線状リブである請求項１記載のディスクカートリッジ用の収納ケース。
【請求項３】
上ケース（８）および下ケース（９）が、ポリプロピレン樹脂により成形されている請求項１記載のディスクカートリッジケース。  
【発明の詳細な説明】
【０００１】
【発明の属する技術分野】
本発明は、光磁気ディスクなどに代表されるディスクカートリッジを収納するブックケース型の収納ケースに関する。
【０００２】
【従来の技術】
かかるディスクカートリッジのひとつにミニディスク（以下単にＭＤという）がある。図３においてＭＤ用の収納ケース３１は、下ケース３３と上ケース３４とからなるケース本体の前面に出入口３２を有するブックケース状に構成してある。下ケース３３は、四角形状の底壁となる主面壁３５の左右および後方から側壁３６・３６と背壁とが立設されている。上ケース３４は、上壁となる主面壁３７の左右および後方から側壁３８・３８と背壁とが突設されている。上下ケース３４・３３のそれぞれの側壁３８・３６には、前後方向に連続する凹部３９と凸部４０とが設けられており、両者３９・４０を圧嵌係合することで、上下ケース３４・３３を上下方向には分離不能に連結している。背壁側も同様に凹凸係合している。かかる従来の収納ケース３１の多くは、剛性の高いＧＰＰＳ樹脂やＡＢＳ樹脂等で成形されていた。
【０００３】
【発明が解決しようとする課題】
本発明者等は、使用済み収納ケース３１のリサイクルを目的として、再利用容易なポリプロピレン樹脂で収納ケース３１を形成することを考えている。しかし、ポリプロピレン樹脂は、ＡＢＳ樹脂等に比べて剛性が低いため、上下ケース３４・３３の連結状態を側壁３８・３６や背壁の単なる凹凸嵌合で維持するだけでは、落下衝撃を受けた場合に、側壁３８が内倒れ変形し、上下ケース３４・３３が簡単に分離してしまうことが予想される。更に、いたずら等によって上下ケース３４・３３が互いに逆向きに剥離操作されるような場合に、凹凸係合が簡単に外れることが予想される。側壁３６・３８の厚みを増せば、側壁３８の変形は抑止できようが、この場合には収納ケース３１の外形が大型化する不利を招く。
【０００４】
本発明の目的は、剛性の低いポリプロピレン樹脂を材質とした場合でも、落下衝撃など上下ケースが分離し難く、外形の大型化を招くこともないディスクカートリッジ用の収納ケースを提供することにある。
【０００５】
【課題を解決するための手段】
本発明は、図２に示すごとく前面にディスクカートリッジ１の出入口１０を有するケース本体３が、上ケース８と下ケース９とからなる収納ケースにおいて、図１に示すごとく、上下ケース８・９の左右側壁１７・１４が、内外に重さなっていて、上下方向には抜け止め状に凹凸係合しており、上下ケース８・９の一方の主面壁１３に、ケース内部に臨む左右側壁１７に接当作用して該側壁１７の内倒れを規制するリブ２４が突設されていることを特徴とする。
【０００６】
具体的には、下ケース９の主面壁１３から立設された左右側壁１４が、上ケース８の主面壁１６から突設した左右側壁１７の外側に位置している。下ケース９の左右側壁１４は、基端部１４ａとこれの上端につながってケース内側方に位置する突端部１４ｂとを有する段付き状に形成されており、下ケース９の左右側壁１４の突端部１４ｂの下面が下向きの段付面２０に設定されていて、該段付面２０の下方で基端部１４ａの内側方に凹部２１が形成されている。上ケース８の左右側壁１７は、基端部１７ａとこれの下端につながってケース外側方に位置する突端部１７ｂとを有する段付き状に形成されており、上ケース８の左右側壁１７の突端部１７ｂの上面が上向きの段付面２２に設定されている。下ケース９に上ケース８を結合したとき、上ケース８側の突端部１７ｂが下ケース９側の凹部２１に嵌合して、下ケース９側の下向き段付面２０に該突端部１７ｂの上向き段付面２２が受け止められることにより、上下ケース８・９が上下方向には抜け止め状に凹凸係合している。
【０００７】
好ましくは、リブ２４を前後方向に連続する線状リブとして形成する。リブ２４の内壁面は上ケース８の左右側壁１７の基端部１７ａの内壁面と面一状になるように形成する。これら上ケース８および下ケース９は、ポリプロピレン樹脂により成形する。
【０００８】
【作用および発明の効果】
収納ケースが落下衝撃を受けると、上下ケース８・９の左右側壁１７・１４には、ケース外側方面より内側に向けて外力が加わり、この外力を受けてケース内部に臨む左右側壁１７を内倒れさせ、これで上下ケース８・９を分離させようとする。しかし、リブ２４が突っ張り作用を発揮して該側壁１７の内倒れ変形を阻止する。これにより、ポリプロピレン樹脂等の比較的剛性の低い樹脂を材質とした場合にも、上下ケース８・９が、落下衝撃などでは分離し難いものとなる。
【０００９】
リブ２４が前後方向に連続して形成されていると、リブ２４の突っ張り機能が更に向上する。上ケース８の左右側壁１７がケース内部に臨んでいて、これの基端部１７ａの内壁面とリブ２４の内壁面とが面一状になっていると、ケース本体７の外形が大型化することもない。また、ケース本体７に対するディスクカートリッジ１の出し入れ時に、ディスクカートリッジ１がリブ２４に引っ掛かることもない。材質としてポリプロピレン樹脂を用いれば、収納ケースはこれ全体がリサイクル容易なものとなる。
【００１０】
【実施例】
図１および図２は本発明に係るディスクカートリッジ用の収納ケースを示す。図２において、符号１は収納対象のミニディスクからなるディスクカートリッジを示す。ディスクカートリッジ１は、書き込み可能な光磁気ディスク２と、これを収容するカートリッジケース３とからなり、カートリッジケース３に開口した信号読み書き窓がスライド式のシャッター５で開閉できる。カートリッジケース３の下ハーフの下面の左右両側には、デッキ側への位置決め用の凹み６がケース下面とケース外側面とを跨ぐ状態で形成されている。
【００１１】
ディスクカートリッジ１を個別に収納保存するために、ブックケース型の収納ケースが用いられる。この収納ケースは、そのケース本体７が別々にプラスチック成形された上ケース８と下ケース９とを結合することにより構成される。これら上下ケース８・９は、リサイクルの容易なポリプロピレン樹脂で成形されている。ケース本体７の前面には出入口１０が開口しており、上下ケース８・９の後述する主面壁１６・１３には、出入口１０の開口縁の左右中央部位に指掛用の切欠部１１を設けてある。
【００１２】
下ケース９は、四角形状の主面壁１３と、主面壁１３の左右端部から立設した左右側壁１４・１４と、主面壁１３の後端部から立設した背壁１５とからなり、前面および上面が開口する薄型角箱形状に形成してある。上ケース８は、下ケース９の開口上面を塞ぐ四角形状の主面壁１６と、主面壁１６の左右端部から下向きに突設した左右側壁１７・１７と、主面壁１６の後端部から下向きに立設した背壁１８とからなる。なお、上ケース８において左右の各側壁１７は、主面壁１６の端縁から内部寄りの位置に設けてある。
【００１３】
上下ケース８・９を結合したとき、下ケース９の左右側壁１４・１４および背壁１５が、上ケース８の左右側壁１７・１７および背壁１８の外側に位置している。上ケース８の左右側壁１７・１７の後端近くの内面には、ケース本体７内に装填したディスクカートリッジ１を抜け止め状に保持するためのストッパー１９を設けてあり、弾性変形可能なストッパ１９が前記凹み６を利用してこれに係合するようになっている。
【００１４】
下ケース９の左右側壁１４・１４には、上下中間部の内面に下向きの段付面２０が形成されている。すなわち左右の各側壁１４は、上向きに立設された基端部１４ａと、この基端部１４ａの上端からケース内側方に屈曲されてさらに上向きに伸びる突端部１４ｂとからなる段付き状に形成されており、突端部１４ｂの下面が水平状の下向き段付面２０に設定され、該段付面２０の下方で基端部１４ａの内側方が凹部２１に形成されている。
【００１５】
上ケース８の左右側壁１７・１７には、上下中間部の外面に上向きの段付面２２が形成されている。すなわち左右の各側壁１７は、下向きに突設された基端部１７ａと、この基端壁１７ａの下端からケース外側方に屈曲されてさらに下向きに伸びる突端部１７ｂとからなる段付き状に形成されており、突端部１７ｂの上面が水平状の上向き段付面２２に設定され、突端部１７ｂが前記凹部２１に嵌合し得る凸部になっている。
【００１６】
いま下ケース９に対しこれの前面側から上ケース８を相対的に水平姿勢で後方へスライド操作して行くと、上ケース８の左右側壁１７の突端部１７ｂが下ケース９の左右側壁１４の凹部２１に嵌まり込み、つまり凹凸嵌合し、下向き段付面２０に対して上向き段付面２２が近接対向ないし面接触した状態となる。これで上下ケース８・９は上下方向には抜け止め状になる。なお、背壁１５・１８の側も同様に凹凸係合している。
【００１７】
下ケース９の主面壁１３の内面左右には、前後方向に連続する線状のリブ２４・２４が上向きに突設されている。この各リブ２４の上端は下向き段付面２０よりも下方に位置し、各リブ２４が上ケース８の左右側壁１７の基端部１７ａの下方にあって、各リブ２４の外側面が上ケース８の左右側壁１７の突端部１７ｂの内側面に近接対向ないしは接触するよう位置している。従って、上ケース８の左右側壁１７の遊端側となる突端部１７ｂは、これがケース内側方に移動することをリブ２４で受け止め規制されている。その結果、下ケース９の左右側壁１４を介して上ケース８の左右側壁１７を内倒れさすような外力が加わっても、これによく抵抗し、上下ケース８・９が従来のＧＰＰＳ樹脂やＡＢＳ樹脂と比べて剛性の低いポリプロピレン樹脂で成形されていても、上下ケース８・９が落下衝撃などで上下方向には分離し難いものになっている。
【００１８】
上ケース８の左右側壁１７の基端部１７ａの内壁面と、リブ２４の内壁面とは、面一状になっている。これにより、リブ２４・２４を設けることに伴って、ケース本体７の外形が大型化することが防止されている。また、ディスクカートリッジ１のケース本体７への出し入れ時にも、リブ２４および前記基端部１７ａの内壁面がディスクカートリッジ１の左右側面を摺動案内するよう作用し、ディスクカートリッジ１の出し入れに一切の支障を生じることもない。
【００１９】
なお、上ケース８の左右側壁１７と下ケース９の左右側壁１４とを内外に重なるようにするについて、上記実施例とは逆に上ケース８の左右側壁１７が下ケース９の左右側壁１４の外側に位置するようにしてもよい。つまり、図１において上下逆の関係になるようにしてもよい。この場合のリブ２４・２４は、上ケース８の主面壁１６から下向きに突設することになる。このことから判るように、本発明の上下ケース８・９における上下の位置関係は相対的なものである。上下ケース８・９は上下方向から圧入して結合するようにしてもよい。リブ２４・２４は、前後方向に分断された状態で断続的に設けることもできる。
【図面の簡単な説明】
【図１】要部の縦断正面図である。
【図２】ディスクカートリッジと収納ケースの一部破断平面図である。
【図３】従来の収納ケースを示す斜視図である。
【符号の説明】
１  ディスクカートリッジ
７ ケース本体
８  上ケース
９  下ケース
１０ 出入口
１３  下ケースの主面壁
１４ 下ケースの左右側壁
１６ 上ケースの主面壁
１７ 上ケースの左右側壁
２０  下向き段付面
２１ 凹部
２２ 上向き段付面
２４ リブ
【図１】
0003971790.tif 000002
【図２】
0003971790.tif 000003
【図３】
0003971790.tif 000004